(57)【特許請求の範囲】
【請求項１】
１枚の段ボールシートからなり、台座パネル、及びこの台座パネルに折り返し線を介して連接され、この折り返し線に沿って折り返されることで台座パネルとの間に物品を梱包可能な蓋パネルを備え、
この蓋パネルに、上記折り返し線形成方向に沿って複数のスリットが形成され、
この複数のスリットが、上記蓋パネルを折り返し線形成方向の直交方向に伸長できるよう配設され、
上記折り返し線形成方向に沿った複数の仮想線上に上記複数のスリットが間隔をもって配設されることで、上記蓋パネルがこの複数のスリットから構成される複数列のスリット列を有し、
一のスリット列上の一対のスリットの間に、このスリット列に隣接する他のスリット列のスリットが位置し、この隣接する他のスリット列のスリットが、上記一対のスリットの少なくとも一方のスリットと重複する部位を有し、
上記蓋パネルが、一のスリット列のスリットの端縁と隣接する他のスリット列のスリットとの間に、折り返し線形成方向の直交方向に沿って形成されるスリット間用折り曲げ容易線を有し、このスリット間用折り曲げ容易線が上記蓋パネルの内面に形成される罫線である物品梱包用シート。
【請求項２】
上記複数のスリットのうち一部のスリットが上記蓋パネルの端縁に至る請求項１に記載の物品梱包用シート。
【請求項３】
上記蓋パネルの一方の端縁に至るスリットを含むスリット列が、上記折り返し線形成方向の直交方向において少なくとも一つおきに配設されている請求項２に記載の物品梱包用シート。
【請求項４】
上記複数のスリットが千鳥状に配設されている請求項１、請求項２又は請求項３に記載の物品梱包用シート。
【請求項５】
上記蓋パネルが、一のスリット列上の一対のスリットの間、かつこのスリット列にそれぞれ隣接する二つのスリット列のスリットによって区画されるスリット非形成領域を有し、
このスリット非形成領域に折り返し線形成方向の直交方向に沿ってスリット非形成領域用折り曲げ容易線が形成されている請求項１から請求項４のいずれか１項に記載の物品梱包用シート。
【請求項６】
請求項１から請求項５のいずれか１項に記載の物品梱包用シートと、
上記折り返し線に沿って折り返されることで台座パネルと蓋パネルとの間に介在される物品と、
シュリンクフィルムから構成され、上記物品が介在された物品梱包用シートを被覆することで梱包状態を維持する包装体と
を備える物品梱包体。
【発明の詳細な説明】
【技術分野】
【０００１】
本発明は、物品梱包用シート及び物品梱包体に関する。
【背景技術】
【０００２】
従来、オンラインショップ等で購入した商品等の物品を梱包するための容器として段ボールシートから組立てられる包装箱が用いられている。また、このような包装箱を用いる場合、収容される物品のサイズがこの包装箱に対して小さい場合や、物品の傷付き、破損、故障等を防止するために、物品を緩衝材で保護したうえ、この緩衝材で保護された物品を包装箱に収容することも行われている。
【０００３】
しかしながら、物品を緩衝材で保護したうえ、さらにこの緩衝材によって保護された物品を包装箱に収容する場合、物品自体のサイズに比べて包装箱のサイズが大きくなる。それゆえ、物品を送付する際のコストが高くなる等の不都合を生じるおそれがある。また、包装箱とは別に緩衝材が必要となるため、梱包時の作業性が低下するおそれがある。
【０００４】
それゆえ、今日では、物品の保護機能を備えると共に、種々の物品に対する汎用性に優れる包装容器を求める要求が高まっている。
【０００５】
なお、従来の包装箱に収容される緩衝材としては、例えば空中梱包具及び空中梱包具を用いた収納ケース（特開２００７−２２６０８号公報参照）が発案されている。しかしながら、この公報所載の空中梱包具は、複数の切り込みを有する第１の梱包具、及び第１の梱包具とは別体として設けられ複数の切り込みを有する第２の梱包具によって物品を挟みこむことで運搬中の振動等に基づく物品の揺動を防止するためのもので、それ自体が包装容器として用いられるものではない。また、仮にこの空中梱包具の表面をシュリンクフィルムで覆うことで包装容器の代わりに用いるとすると、第１の梱包具及び第２の梱包具がいずれも複数の切込みを有することからシュリンク作業性に劣ると共にシュリンク後における取扱性にも劣ると考えられる。さらに、この空中梱包具は、複数の切り込みが形成される用品保持枠板部の周囲に枠体（腰板部）を有するため、用品保持枠板部を一定以上変形させ難い。そのため、この空中梱包具は、汎用性に欠けるという不都合を有する。
【先行技術文献】
【特許文献】
【０００６】
【特許文献１】特開２００７−２２６０８号公報
【発明の概要】
【発明が解決しようとする課題】
【０００７】
本発明は、このような事情に鑑みてなされたものであり、物品の保護機能を備えると共に、汎用性に優れる物品梱包用シート及びこの物品梱包用シートを備える物品梱包体の提供を目的とするものである。
【課題を解決するための手段】
【０００８】
上記課題を解決するためになされた本発明に係る物品梱包用シートは、１枚の段ボールシートからなり、台座パネル、及びこの台座パネルに折り返し線を介して連接され、この折り返し線に沿って折り返されることで台座パネルとの間に物品を梱包可能な蓋パネルを備え、この蓋パネルに、上記折り返し線形成方向に沿って複数のスリットが形成され、この複数のスリットが、上記蓋パネルを折り返し線形成方向の直交方向に伸長できるよう配設され、上記折り返し線形成方向に沿った複数の仮想線上に上記複数のスリットが間隔をもって配設されることで、上記蓋パネルがこの複数のスリットから構成される複数列のスリット列を有し、一のスリット列上の一対のスリットの間に、このスリット列に隣接する他のスリット列のスリットが位置し、この隣接する他のスリット列のスリットが、上記一対のスリットの少なくとも一方のスリットと重複する部位を有し、上記蓋パネルが、一のスリット列のスリットの端縁と隣接する他のスリット列のスリットとの間に、折り返し線形成方向の直交方向に沿って形成されるスリット間用折り曲げ容易線を有し、このスリット間用折り曲げ容易線が上記蓋パネルの内面に形成される罫線である。
【０００９】
当該物品梱包用シートは、台座パネル及び蓋パネルを備え、台座パネルに物品を載置したうえ、蓋パネルを折り返し線に沿って物品側に折り返すことでこの物品を台座パネル及び蓋パネルで挟み込んで用いられる。当該物品梱包用シートは、上記蓋パネルに形成される複数のスリットに基づいて、この蓋パネルを折り返し線形成方向の直交方向に伸長することができるので、台座パネルに物品を載置した状態で、蓋パネルを折り返し線側から物品を被覆するように重ねていった場合に上記蓋パネルを物品の形状に沿って変形させることができ、これにより台座パネル上の物品を台座パネルと変形した蓋パネルとにより容易かつ確実に挟み込むことができる。それゆえ、当該物品梱包用シートは、種々の物品に対して用いることができ汎用性に優れる。また、当該物品梱包用シートは、このように蓋パネルを物品の形状に基づいて変形させることができるため、台座パネル及び蓋パネルによって挟持した物品の揺動を防止することができると共に優れた緩衝性を有する。それゆえ、当該物品梱包用シートは、優れた物品保護機能を有する。
【００１０】
上記折り返し線形成方向に沿った複数の仮想線上に上記複数のスリットが間隔をもって配設されることで、上記蓋パネルがこの複数のスリットから構成される複数列のスリット列を有し、一のスリット列上の一対のスリットの間に、このスリット列に隣接する他のスリット列のスリットが位置し、この隣接する他のスリット列のスリットが、上記一対のスリットの少なくとも一方のスリットと重複する部位を有する。これにより、物品の形状に沿って蓋パネルを伸長させることができ、台座パネル上の物品を台座パネルと変形した蓋パネルとにより容易かつ確実に挟み込むことができる。
【００１１】
上記複数のスリットのうち一部のスリットが上記蓋パネルの端縁に至るとよい。このように、一部のスリットが蓋パネルの端縁に至ることによって、蓋パネルの上記端縁を好適に伸長させることができ、ひいては蓋パネル全体を好適に伸長させることができる。
【００１２】
上記蓋パネルの一方の端縁に至るスリットを含むスリット列が、上記折り返し線形成方向の直交方向において少なくとも一つおきに配設されているとよい。これにより、蓋パネルの変形性をさらに向上することができ、種々の物品に対する汎用性をさらに高めることができる。
【００１３】
上記複数のスリットが千鳥状に配設されているとよい。このように、複数のスリットが千鳥状に配設されることによって、蓋パネル全体における変形性を向上することができ、物品保護機能を格段に向上することができる。
【００１４】
上記蓋パネルが、一のスリット列のスリットの端縁と隣接する他のスリット列のスリットとの間に、折り返し線形成方向の直交方向に沿って形成されるスリット間用折り曲げ容易線を有する。これにより、蓋パネルのスリット間における変形容易性を向上することができる。
【００１５】
上記蓋パネルが、一のスリット列上の一対のスリットの間、かつこのスリット列にそれぞれ隣接する二つのスリット列のスリットによって区画されるスリット非形成領域を有し、このスリット非形成領域に折り返し線形成方向の直交方向に沿ってスリット非形成領域用折り曲げ容易線が形成されているとよい。これにより、蓋パネルで物品を被覆した場合に、このスリット非形成領域用折り曲げ容易線を物品の形状に合わせて凹状又は凸状に折り曲げることができ、スリット非形成領域における変形容易性を向上することができる。
【００１６】
当該物品梱包用シートは１枚の段ボール紙からなる。このように、当該物品梱包用シートが１枚の段ボール紙からなることによって、例えば物品保護機能を高めつつ、汎用性が促進された商品送付用シートとして好適に用いることができる。
【００１７】
また、上記課題を解決するためになされた本発明に係る物品梱包体は、上記構成を有する当該物品梱包用シートと、上記折り返し線に沿って折り返されることで台座パネルと蓋パネルとの間に介在される物品と、シュリンクフィルムから構成され、上記物品が介在された物品梱包用シートを被覆することで梱包状態を維持する包装体とを備える。
【００１８】
当該物品梱包体は、台座パネルに物品を載置したうえ、蓋パネルを折り返し線に沿って折り返すことでこの物品を台座パネル及び蓋パネルで挟み込み、さらにシュリンクフィルムから構成される包装体によって被覆することで形成される。当該物品梱包体は、当該物品梱包用シートが上記台座パネル及び上記蓋パネルを備え、上記蓋パネルが折り返し線形成方向の直交方向に伸長可能に構成されるので、台座パネルに物品を載置した状態で、蓋パネルを折り返し線側から物品を被覆するように重ねていった場合に上記蓋パネルを物品の形状に沿って変形させることができ、これによりこの物品を蓋パネルと台座パネルとの間に挟み込むことができる。それゆえ、当該物品梱包体は、種々の物品に対して用いることができ汎用性に優れる。また、当該物品梱包体は、このように蓋パネルを物品の形状に基づいて変形させることができるため、台座パネル及び蓋パネルによって挟持した物品の揺動を防止することができると共に優れた緩衝性を有する。それゆえ、当該物品梱包体は、優れた物品保護機能を有する。
【００１９】
なお、本発明において、「蓋パネルを折り返し線形成方向の直交方向に伸長できる」とは、物品梱包時（変形後）における蓋パネルの折り返し線形成方向の直交方向の表面長さ（蓋パネルの表面に沿った長さ）（以下、「変形後長さ」ともいう。）が、変形前における蓋パネルの折り返し線形成方向の直交方向の表面長さ（以下、「変形前長さ」ともいう。）よりも大きいことを意味する。また、例えば変形後長さと変形前長さとの差の下限としては、０．５ｃｍが好ましく、１ｃｍがより好ましく、１．５ｃｍがさらに好ましい。一方、変形後長さと変形前長さとの差の上限としては、例えば１０ｃｍとすることができる。
【発明の効果】
【００２０】
以上説明したように、本発明に係る物品梱包用シート及び物品梱包体は、物品の保護機能を備えると共に、汎用性に優れる。
【図面の簡単な説明】
【００２１】
【図１】本発明の第一実施形態に係る物品梱包用シートを示す模式図であって、（ａ）は外面図、（ｂ）は内面図である。
【図２】図１の物品梱包用シートの蓋パネルの外面を示す部分拡大図である。
【図３】図１の物品梱包用シートを用いた物品梱包体の組立工程を示す説明図である。
【図４】図１の物品梱包用シートを用いた物品梱包体を示す模式的部分拡大図であって、（ａ）は正面図、（ｂ）は側面図、（ｃ）は平面図である。
【図５】本発明の他の実施形態に係る物品梱包用シートの蓋パネルを示す模式的外面図である。
【図６】図５とは異なる形態に係る物品梱包用シートの蓋パネルを示す模式的外面図である。
【図７】図５及び図６とは異なる形態に係る物品梱包用シートの蓋パネルを示す模式的外面図である。
【図８】図５乃至図７とは異なる形態に係る物品梱包用シートの蓋パネルを示す模式的外面図である。
【図９】本発明の他の実施形態に係る物品梱包用シートの蓋パネルを示す模式的内面図である。
【図１０】図９とは異なる形態に係る物品梱包用シートの蓋パネルを示す模式的内面図である。
【図１１】図９及び図１０とは異なる形態に係る物品梱包用シートの蓋パネルを示す模式的内面図である。
【図１２】図９乃至図１１とは異なる形態に係る物品梱包用シートの蓋パネルを示す模式的内面図である。
【００２２】
以下、適宜図面を参照しつつ、本発明の実施の形態を詳説する。
【００２３】
［第一実施形態］
＜物品梱包用シート＞
図１及び図２の物品梱包用シート１は１枚のシートからなる。また、１枚のシートは段ボール紙から構成されている。上記段ボール紙としては、波形に形成された中芯、この中芯の表面側に積層される表ライナ及び裏面側に積層される裏ライナを有する。上記段ボール紙としては、強度の高さや物品梱包時の作業性等の観点から両面段ボールが好ましい。なお、後述する折り返し線４とこの段ボール紙の波目方向（中芯の稜線に沿う方向）とは垂直に配設されている。
【００２４】
物品梱包用シート１は、台座パネル２と、蓋パネル３とを有する。台座パネル２及び蓋パネル３は、折り返し線４を介して連接されている。蓋パネル３は、折り返し線４に沿って折り返されることで台座パネル２との間に物品を梱包可能に構成されている。なお、以下の説明において、「内面」とは、蓋パネル３を折り返し線４に沿って折り返し、台座パネル２及び蓋パネル３の間に物品を梱包した状態における物品側の面をいい、「外面」とは上記内面の反対側の面をいう。
【００２５】
蓋パネル３は、折り返し線形成方向に沿って形成される複数のスリット６を有する。これにより、蓋パネル３は、折り返し線形成方向の直交方向に伸長可能に構成されている。一方、台座パネル２は、台座パネル２を折り返し線形成方向の直交方向に伸長可能に構成されるスリット６を有しない。このため、台座パネル２は、折り返し線形成方向の直交方向及び折り返し線形成方向に伸長しないように構成されている。なお、上記「スリット」とは、シートの表面から裏面まで貫通した切れ目のことをいい、この切れ目は線状であってもよく、各部の幅が異なっていてもよい（例えば両端部に比べて中心部の幅が大きい等）。また、上記スリットは、蓋パネル３を伸長した場合に表面から裏面まで貫通可能に形成されていればよく、必ずしも伸長前の状態で表面から裏面まで貫通されていなくてもよい。
【００２６】
台座パネル２は、略矩形状かつ平板状に形成されている。台座パネル２は、側面の四隅が湾曲して形成されている。台座パネル２は、折り返し線４と略直交する一対の側縁が内側に向けて湾曲した湾曲面として形成されている。また、台座パネル２は、折り返し線４側の端縁近傍に折り返し線４と略平行に形成される第一折り曲げ容易線５を有する。第一折り曲げ容易線５としては、例えば罫線、ミシン目、ハーフカット線又はこれらの組み合わせ等が挙げられる。
【００２７】
台座パネル２は、非伸長状態における蓋パネル３と略同一形状に形成されている。略同一形状とは、例えば略矩形状かつ平板状で、側面の四隅が湾曲した形状をいう。また、略同一形状とは、例えば折り返し線４で折り返した時に互いに重なり合う部分の面積が重ならない部分の面積の２０倍以上であることをいう。折り返し線４で折り返した時の互いに重なり合う部分の面積の下限としては、重ならない部分の面積の３０倍がより好ましく、５０倍がさらに好ましい。
【００２８】
蓋パネル３は、折り返し線形成方向に沿った複数の仮想線上に複数のスリット６が間隔をもって配設されることで、複数のスリット６から構成される複数列のスリット列を有する。換言すると、複数のスリット６は、折り返し線形成方向に沿った複数の仮想線上に間隔をもって配設される複数のスリット列上に形成されている。複数のスリット６は、各スリット列において略等間隔で形成されている。また、複数のスリット６のうち一部のスリット６は蓋パネル３の端縁に至るスリット６ａとして形成されている。
【００２９】
具体的には、蓋パネル３は、折り返し線形成方向に沿った複数の仮想線上にスリット６ａを両端に具備する一のスリット形成パターンを有する第一スリット列７と、上記一のスリット形成パターンとは異なるスリット形成パターンを有する第二スリット列８とを有する。第一スリット列７及び第二スリット列８は交互に配設されている。このため、複数のスリット６は、千鳥状に配設されている。第一スリット列７及び第二スリット列８は、折り返し線形成方向と平行に配設されている。
【００３０】
複数のスリット６の配設パターンとしては、一のスリット列上の一対のスリット間に、このスリット列に隣接する他のスリット列のスリットが位置し、この隣接する他のスリット列のスリットが、上記一対のスリットの少なくとも一方のスリットと重複する部位を有する。
【００３１】
具体的には、複数のスリット６の配設パターンとしては、折り返し線形成方向の直交方向において、第一スリット列７上の一対のスリット６間に、第一スリット列７に隣接する第二スリット列８のスリット６が位置すると共に、第一スリット列７に隣接する第二スリット列８のスリット６が、第一スリット列７の一対のスリット６と重複する部位を有している。つまり、複数のスリット６の配設パターンとしては、隣接するスリット列に形成されるスリット６同士が、折り返し線形成方向の直交方向において、互いに重複する重複部位６ｂと、互いに重複しない非重複部位６ｃとを有している。
【００３２】
折り返し線形成方向の直交方向における隣接するスリット列間距離ｄ１の下限としては、０．５ｃｍが好ましく、０．７ｃｍがより好ましく、０．９ｃｍがさらに好ましい。一方、折り返し線形成方向の直交方向における隣接するスリット列間距離ｄ１の上限としては、２．５ｃｍが好ましく、２ｃｍがより好ましく、１．５ｃｍがさらに好ましい。隣接するスリット列間距離ｄ１が上記下限未満の場合、蓋パネル３を物品の形状に沿って変形させた物品梱包状態における強度が十分に得られないおそれがある。逆に、隣接するスリット列間距離ｄ１が上記上限を超える場合、蓋パネル３を物品の形状に沿って容易かつ確実に変形できないおそれがある。なお、隣接するスリット列間距離ｄ１は、全てのスリット列間において同一距離である必要はないが、様々な物品に対する汎用性を向上させる点等からは全てのスリット列間距離ｄ１が略同一であることが好ましい。
【００３３】
各スリット列上における隣接する一対のスリット間距離ｄ２の下限としては、１ｃｍが好ましく、１．５ｃｍがより好ましく、１．８ｃｍがさらに好ましい。一方、各スリット列上における隣接する一対のスリット間距離ｄ２の上限としては、４ｃｍが好ましく、３．５ｃｍがより好ましく、３ｃｍがさらに好ましい。スリット間距離ｄ２が上記下限未満の場合、一対のスリット間距離が小さくなり、蓋パネル３を物品の形状に沿って変形させた場合にこのスリット間において破断するおそれが高くなる。逆に、スリット間距離ｄ２が上記上限を超える場合、スリット６の長さが不足して蓋パネル３を十分に伸長できないおそれがある。なお、隣接する一対のスリット間距離ｄ２は、全てのスリット間において同一距離である必要はないが、様々な物品に対する汎用性を向上させる点等からは全てのスリット間にいて同一であることが好ましい。
【００３４】
各スリット６の長さｄ３の下限としては、４．５ｃｍが好ましく、５ｃｍがより好ましく、５．５ｃｍがさらに好ましい。一方、各スリット６の長さｄ３の上限としては、１１ｃｍが好ましく、１０ｃｍがより好ましく、９ｃｍがさらに好ましい。各スリット６の長さｄ３が上記下限未満の場合、蓋パネル３を十分に伸長できないおそれがある。逆に、各スリット６の長さｄ３が上記上限を超える場合、物品の保護機能が十分に得られないおそれがある。なお、各スリット６の長さｄ３としては、必ずしも全てのスリット６の長さが上記範囲に含まれる必要はなく、例えば端縁に至るスリット６ａの長さについては上記範囲外であってもよい。
【００３５】
スリット６の長さｄ３の一対のスリット間距離ｄ２に対する長さ比ｄ３／ｄ２の下限としては、２が好ましく、２．５がより好ましく、２．８がさらに好ましい。一方、スリット６の長さｄ３の一対のスリット間距離ｄ２に対する長さ比ｄ３／ｄ２の上限としては、５が好ましく、４がより好ましく、３．５がさらに好ましい。上記長さ比ｄ３／ｄ２が上記下限未満の場合、蓋パネル３を十分に伸長できないおそれがある。逆に、上記長さ比ｄ３／ｄ２が上記上限を超える場合、物品の保護機能が十分に得られないおそれがある。
【００３６】
各スリット６の非重複部位６ｃの重複部位６ｂに対する長さ比６ｃ／６ｂの下限としては、７／２０が好ましく、２／５がより好ましく、９／２０がさらに好ましい。一方、各スリット６の非重複部位６ｃの重複部位６ｂに対する長さ比６ｃ／６ｂの上限としては、１３／２０が好ましく、３／５がより好ましく、１１／２０がさらに好ましい。上記長さ比６ｃ／６ｂが上記下限未満の場合、蓋パネル３を物品の形状に沿って変形させた場合にこのスリット間において破断するおそれが高くなる。逆に、上記長さ比６ｃ／６ｂが上記上限を超える場合、蓋パネル３を十分に伸長できないおそれがある。なお、上記長さ比６ｃ／６ｂに関し、例えば端縁に至るスリット６ａについては上記範囲外であってもよい。また、一のスリット６が重複部位６ｂ又は非重複部位６ｃを複数有する場合、上記長さ比６ｃ／６ｂは、一のスリット６における複数の重複部位６ｂ及び複数の非重複部位６ｃの合計長さに基づいて求められる。
【００３７】
蓋パネル３は、一のスリット列のスリット６の端縁と隣接する他のスリット列のスリットとの間に、折り返し線形成方向の直交方向に沿って形成されるスリット間用折り曲げ容易線９を有する。具体的には、図１（ｂ）に示すように、蓋パネル３は、第一スリット列７のスリット６の端縁と、第一スリット列７に隣接する第二スリット列８のスリット６との間、及び第二スリット列８のスリット６の端縁と、この第二スリット列８に隣接する第一スリット列７のスリット６との間に、折り返し線形成方向の直交方向に沿って形成されるスリット間用折り曲げ容易線９を有する。
【００３８】
スリット間用折り曲げ容易線９は、全ての第一スリット列７のスリット６の端縁とこの第一スリット列７に隣接する第二スリット列８のスリット６との間、及び全ての第二スリット列８のスリット６の端縁とこの第二スリット列８に隣接する第一スリット列７のスリット６との間に形成されている。また、スリット間用折り曲げ容易線９は、第一スリット列７のスリット６の端縁からこの第一スリット列７に隣接する第二スリット列８のスリット６に亘って形成され、かつ第二スリット列８のスリット６の端縁からこの第二スリット列８に隣接する第一スリット列７のスリット６に亘って形成されている。スリット間用折り曲げ容易線９としては、例えば蓋パネル３の内面に形成される罫線が挙げられる。
【００３９】
蓋パネル３は、一のスリット列上の一対のスリット６の間、かつこのスリット列にそれぞれ隣接する二つのスリット列のスリット６によって区画されるスリット非形成領域１０を有し、このスリット非形成領域１０に折り返し線形成方向の直交方向に沿ってスリット非形成領域用折り曲げ容易線１１が形成されている。具体的には、図１（ｂ）に示すように、第一スリット列７上の一対のスリット６間、かつこの第一スリット列７にそれぞれ隣接する二つの第二スリット列８のスリット６（詳細には、スリット６における非重複部位６ｃ）によって区画されるスリット非形成領域１０、及び第二スリット列８上の一対のスリット６間、かつこの第二スリット列８にそれぞれ隣接する二つの第一スリット列７のスリット６（詳細には、スリット６における非重複部位６ｃ）によって区画されるスリット非形成領域１０を有する。また、蓋パネル３は、スリット非形成領域１０に、折り返し線形成方向の直交方向に沿って形成されるスリット非形成領域用折り曲げ容易線１１を有する。
【００４０】
スリット非形成領域用折り曲げ容易線１１は、一のスリット列に隣接する一対のスリット列における対向する一対の非重複部位６ｃに亘って形成されている。
【００４１】
スリット非形成領域用折り曲げ容易線１１は、折り曲げられた状態における折り曲げ形状を保持させる形状保持容易線１１ａを折り返し線４側に有する。形状保持容易線１１ａは、スリット非形成領域用折り曲げ容易線１１の折り返し線４側の端部に亘って形成されている。スリット非形成領域用折り曲げ容易線１１の具体的形状としては、例えば形状保持容易線１１ａが蓋パネル３の内面側に形成されたハーフカット線であり、その他の部分が蓋パネル３の内面側に形成された罫線である。
【００４２】
折り返し線４は、台座パネル２及び蓋パネル３の連接部分に形成される。折り返し線４としては、例えば罫線、ミシン目、ハーフカット線又はこれらの組み合わせ等が挙げられる。なかでも、折り返し線４としては、折り返し容易性の点から罫線及びミシン目の組み合わせが好ましく、両端及び中央が罫線、かつその他の部分がミシン目とされるのが特に好ましい。また、このように罫線及びミシン目が組合せて用いられる場合、折り返し線４全体の長さに対する各罫線の長さの比の下限としては、１／２０が好ましく、１／１７がより好ましい。一方、折り返し線４全体の長さに対する各罫線の長さの比の上限としては、１／１３が好ましく、１／１４がより好ましい。
【００４３】
＜物品梱包体の組立方法＞
以下、図３を参照して、当該物品梱包用シート１を用いた物品梱包体２１の組立方法を説明する。
【００４４】
まず、図３（ａ）に示すように、物品２２を物品梱包用シート１の台座パネル２の内面に載置する。台座パネル２の内面における物品２２の載置場所としては、折り返し線４に沿って蓋パネル３を折り返した際に蓋パネル３によって被覆可能な場所である限り特に限定されるものではない。ただし、蓋パネル３を物品２２の形状に沿って的確に変形させる点からは、蓋パネル３の被覆状態における蓋パネル３の平面視中心位置が好ましい。
【００４５】
次に、図３（ｂ）に示すように、蓋パネル３を折り返し線４側から物品２２上に被覆する。
【００４６】
続いて、図３（ｃ）に示すように、台座パネル２と蓋パネル３との間に物品２２が介在された状態の物品梱包用シート１をシュリンク装着機（図示せず）に通し、シュリンクフィルムから構成された包装体２３によって物品梱包用シート１を被覆する。
【００４７】
＜物品梱包体＞
図４の物品梱包体２１は、当該物品梱包用シート１と、折り返し線４に沿って折り返されることで台座パネル２と蓋パネル３との間に介在される物品２２と、シュリンクフィルムから構成され、物品２２が介在された物品梱包用シート１を被覆することで梱包状態を維持する包装体２３とを備える。物品梱包体２１は、上述の組立方法によって組立てられる。
【００４８】
物品梱包用シート１は、図４（ａ）及び図３（ｃ）に示すように、蓋パネル３が物品２２の形状に沿って変形されることで形成される複数の開口２４を有する。物品梱包用シート１は、複数の開口２４が形成されることで蓋パネル３の折り返し線形成方向の直交方向の表面長さが増加されている。
【００４９】
また、物品梱包用シート１は、図４（ｂ）に示すように、第一スリット列７の両端に配設される一対のスリット６が蓋パネル３の端縁に至るスリット６ａとして形成されているので、蓋パネル３の側端部同士を重ねあわせた状態で物品２２を梱包することができる。さらに、物品梱包用シート１は、台座パネル２の一対の側縁が内側に向けて湾曲しているので、蓋パネル３の側端部同士を重ねあわせた場合でも、蓋パネル３の側縁形状と、台座パネル２の側縁形状とが略同一形状となり易く、成形性に優れる。
【００５０】
＜利点＞
当該物品梱包用シート１は、台座パネル２及び蓋パネル３を備え、台座パネル２に物品を載置したうえ、蓋パネル３を折り返し線４に沿って物品２２側に折り返すことでこの物品２２を台座パネル２及び蓋パネル３で挟み込んで用いられる。当該物品梱包用シート１は、蓋パネル３に形成される複数のスリット６に基づいて、この蓋パネル３を折り返し線形成方向の直交方向に伸長することができるので、台座パネル２に物品２２を載置した状態で、蓋パネル３を折り返し線４側から物品２２を被覆するように重ねていった場合に蓋パネル３を物品２２の形状に沿って変形させることができ、これにより台座パネル２上の物品２２を台座パネル２と変形した蓋パネル３とにより容易かつ確実に挟み込むことができる。それゆえ、当該物品梱包用シート１は、種々の物品に対して用いることができ汎用性に優れる。また、当該物品梱包用シート１は、このように蓋パネル３を物品２２の形状に沿って変形させることができるため、台座パネル２及び蓋パネル３によって挟持した物品２２の揺動を防止することができると共に優れた緩衝性を有する。それゆえ、当該物品梱包用シート１は、優れた物品保護機能を有する。
【００５１】
当該物品梱包用シート１は、折り返し線形成方向に沿った複数の仮想線上に複数のスリット６が間隔をもって配設されることで、蓋パネル３が複数のスリット６から構成される複数列のスリット列を有し、一のスリット列上の一対のスリット６の間に、このスリット列に隣接する他のスリット列のスリットが位置し、この隣接する他のスリット列のスリットが、一対のスリット６の少なくとも一方のスリット６と重複する部位を有するので、物品２２の形状に沿って蓋パネル３を伸長させることができ、台座パネル２上の物品２２を台座パネル２と変形した蓋パネル３とにより容易かつ確実に挟み込むことができる。
【００５２】
当該物品梱包用シート１は、複数のスリット６のうち一部のスリット６が蓋パネル３の端縁に至るので、蓋パネル３の上記端縁を好適に伸長させることができ、ひいては蓋パネル３全体を好適に伸長させることができる。
【００５３】
当該物品梱包用シート１は、蓋パネル３の一方の端縁に至るスリット６ａを含むスリット列が、折り返し線形成方向の直交方向において少なくとも一つおきに配設されているので、蓋パネル３の変形性をさらに向上することができ、種々の物品に対する汎用性をさらに高めることができる。
【００５４】
当該物品梱包用シート１は、複数のスリット６が千鳥状に配設されているので、蓋パネル３全体における変形性を向上することができ、物品保護機能を格段に向上することができる。
【００５５】
当該物品梱包用シート１は、蓋パネル３が、一のスリット列のスリット６の端縁と隣接する他のスリット列のスリット６との間に、折り返し線形成方向の直交方向に沿って形成されるスリット間用折り曲げ容易線９を有するので、蓋パネル３のスリット６間における変形容易性を向上することができる。
【００５６】
当該物品梱包用シート１は、蓋パネル３が、一のスリット列上の一対のスリットの間、かつこのスリット列にそれぞれ隣接する二つのスリット列のスリットによって区画されるスリット非形成領域１０を有し、スリット非形成領域１０に折り返し線形成方向の直交方向に沿ってスリット非形成領域用折り曲げ容易線１１が形成されているので、蓋パネル３で物品２２を被覆した場合に、スリット非形成領域用折り曲げ容易線１１を物品２２の形状に合わせて凹状又は凸状に折り曲げることができ、スリット非形成領域１０における変形容易性を向上することができる。
【００５７】
特に、当該物品梱包用シート１は、スリット非形成領域用折り曲げ容易線１１が形状保持容易線１１ａを有するので、スリット非形成領域用折り曲げ容易線１１を外面側に向けて凸状に折り曲げた場合でも、例えばハーフカット線からなる形状保持容易線１１ａによって分離される対向端縁同士が干渉し合うことでこの折り曲げ部分の形状が一定程度規定される。それゆえ、当該物品梱包用シート１は、この折り曲げ部分における強度の低下が抑制されると共にこの折り曲げ部分のつぶれが防止される。従って、当該物品梱包用シート１は、物品保護機能を効果的に高めることができる。
【００５８】
当該物品梱包用シートは、段ボール紙から形成されるので、例えば物品保護機能を高めつつ、汎用性が促進された商品送付用シートとして好適に用いることができる。
【００５９】
当該物品梱包体２１は、台座パネル２に物品２２を載置したうえ、蓋パネル３を折り返し線４に沿って折り返すことでこの物品２２を台座パネル２及び蓋パネル３で挟み込み、さらにシュリンクフィルムから構成される包装体２３によって被覆することで形成される。当該物品梱包体２１は、当該物品梱包用シート１が台座パネル２及び蓋パネル３を備え、蓋パネル３が折り返し線形成方向の直交方向に伸長可能に構成されるので、台座パネル２に物品２２を載置した状態で、蓋パネル３を折り返し線４側から物品２２を被覆するように重ねていった場合に蓋パネル３を物品２２の形状に沿って変形させることができ、これにより物品２２を蓋パネル３と台座パネル２との間に挟み込むことができる。それゆえ、当該物品梱包用体２１は、種々の物品に対して用いることができ汎用性に優れる。また、当該物品梱体２１は、このように蓋パネル３を物品２２の形状に基づいて変形させることができるため、台座パネル２及び蓋パネル３によって挟持した物品２２の揺動を防止することができると共に優れた緩衝性を有する。それゆえ、当該物品梱包体２１は、優れた物品保護機能を有する。
【００６０】
［その他の実施形態］
なお、本発明に係る物品梱包用シート及び物品梱包体は、上記態様の他、種々の変更、改変を施した態様で実施することができる。例えば、複数のスリットの配設パターンとしては、必ずしも千鳥状である必要はなく、例えば図５〜図８に示すようなパターンであってもよい。以下、図５〜図８の各パターンについて説明する。
【００６１】
図５（ａ）では、一のスリット形成パターンを有する第一スリット列３１と、一のスリット形成パターンとは異なるスリット形成パターンを有する第二スリット列３２とが交互に配設されている。また、第一スリット列３１の延長線上に存在する両端縁には各々切欠き３３が形成されている。図５（ａ）では、このような切欠き３３に基づいて、蓋パネルの端縁を伸長させることができる。ただし、このような切欠き３３を有する場合であっても、図５（ｂ）に示すように、蓋パネルの端縁に切欠き３３に至るスリット３４を有する方が、蓋パネルの端縁をより好適に伸長させることができる。
【００６２】
図６では、一のスリット形成パターンを有する第一スリット列４１と、第一スリット列４１のスリット形成パターンとは異なるスリット形成パターンを有する第二スリット列４２と、第一スリット列４１及び第二スリット列４２のスリット形成パターンとは異なるスリット形成パターンを有する第三スリット列４３とがこの順で繰り返し配設されている。図６では、一のスリット列（例えば第二スリット列４２）上の一対のスリット４４間に、上記一のスリット列（第二スリット列４２）に隣接するスリット列（例えば第一スリット列４１）のスリット４４が位置すると共に、第一スリット列４１のスリット４４が第二スリット列４２上の一対のスリット４４のうちの一方のスリット４４と重複する部位を有している。当該物品梱包用シートは、このような構成によっても、一のスリット列のスリットが、隣接する他のスリット列上の一対のスリット間に位置すると共に、この一対のスリットの一方のスリットと重複する部位を有するので、蓋パネルを折り返し線形成方向の直交方向に伸長させることができる。ただし、上記第一実施形態のように一のスリット列のスリットが非重複部位と、この非重複部位の両側に形成される一対の重複部位とを有する方が蓋パネルを折り返し線形成方向の直交方向に伸長させる点から好ましい。
【００６３】
図７では、蓋パネルの中央に折り曲げ容易線によって区画されるスリット非存在領域５１が存在している。このスリット非存在領域５１は、例えば送り状等が貼付される部位として用いられる。当該物品梱包用シートは、このような構成によっても、蓋パネルにおけるスリット非存在領域５１以外の領域が伸長性を有することによって、優れた物品保護機能及び汎用性を有する。
【００６４】
図８では、一のスリット形成パターンを有する第一スリット列６１と、一のスリット形成パターンとは異なるスリット形成パターンを有する第二スリット列６２とが交互に配設されている。図８では、第一スリット列６１のスリット及び第二スリット列６２のスリットが、折り返し線形成方向に対して傾斜して形成されている。また、図８では、第一スリット列６１及び第二スリット列６２の各々の中間に折り返し線形成方向と平行に伸びる折り曲げ容易線６３が形成されている。当該物品梱包用シートは、このような構成によっても、蓋パネルを物品の形状に沿って変形することが可能である。ただし、上記第一実施形態のように各スリットが折り返し線形成方向と平行に形成される方が、蓋パネルを折り返し線形成方向の垂直方向により効果的に伸長することができる。
【００６５】
また、スリット間用折り曲げ容易線及びスリット非形成領域用折り曲げ容易線の配設パターンとしては、上記第一実施形態におけるパターンに限られるものではなく、例えば図９〜図１２に示すようなパターンであってもよい。以下、図９〜図１２の各パターンについて説明する。
【００６６】
図９では、形状保持容易線７１がスリット非形成領域用折り曲げ容易線７２の中央部に位置している。当該物品梱包用シートは、このような構成によっても、形状保持容易線７１によって折り曲げ部分における強度の低下を抑制し、かつこの折り曲げ部分のつぶれを防止することができる。なお、形状保持容易線７１は、図９のようにスリット非形成領域用折り曲げ容易線７２の中央部に位置する以外にも、例えば折り返し線の反対側に位置してもよい。また、かかる形状保持容易線７１は存在しなくともよい。ただし、折り曲げ部分における強度の低下を抑制すると共にこの折り曲げ部分のつぶれを防止する点からは、形状保持容易線７１は、スリット非形成領域用折り曲げ容易線７２の一端又は両端に形成されるのが好ましい。
【００６７】
図１０では、スリット非形成領域用折り曲げ容易線８２が形状保持容易線８１から構成されている。当該物品梱包用シートは、このような構成によっても形状保持容易線８１によって折り曲げ部分における強度の低下を抑制し、かつこの折り曲げ部分のつぶれを防止することができる。
【００６８】
図１１では、スリット間用折り曲げ容易線９１の両端がスリット９２と連結されていない。当該物品梱包用シートは、このような構成によっても、スリット間用折り曲げ容易線９１を折り曲げることで、蓋パネルのスリット間における変形容易性を向上することができる。ただし、折り曲げ容易性の点からは、スリット間用折り曲げ容易線９１は、上記第一実施形態のように一のスリット列のスリットの端縁からこのスリット列に隣接する他のスリット列のスリットに亘って形成される方が好ましい。
【００６９】
図１２では、スリット非形成領域用折り曲げ容易線１０２がスリット非形成領域１０１における折り返し線の反対側にのみ形成されている。また、このスリット非形成領域用折り曲げ容易線１０２は、形状保持容易線から構成されている。当該物品梱包用シートは、このような構成によっても、蓋パネルのスリット非形成領域における変形容易性を向上することができる。
【００７０】
なお、スリット間用折り曲げ容易線及びスリット非形成領域用折り曲げ容易線の配設パターンとしては、上記パターン以外であってもよく、またスリット間用折り曲げ容易線及びスリット非形成領域用折り曲げ容易線自体を有しないことも可能である。例えばスリット間用折り曲げ容易線は、必ずしも一のスリットの両端側に形成される必要はなく、一のスリットの一端側にのみ形成されてもよく、また一部のスリットについてのみ形成されてもよい。また、スリット非形成領域用折り曲げ容易線は、全てのスリット非形成領域に形成される必要はなく、一部のスリット非形成領域のみに形成されてもよい。
【００７１】
蓋パネルは、折り返し線と対向する端縁近傍に第二折り曲げ容易線を有してもよい。当該物品梱包用シートは、このような構成によれば、蓋パネルを折り返し線に沿って折り返した場合に、台座パネル及び蓋パネルの対向端縁同士をより的確に突き合わせることができる。なお、第二折り曲げ容易線としては、例えば罫線、ミシン目、ハーフカット線又はこれらの組み合わせ等が挙げられる。
【００７２】
当該物品梱包用シートは、台座パネルの折り返し線と対向する側の端縁近傍に係止部を有していてもよい。当該物品梱包用シートは、このような係止部を有することで、この係止部を蓋パネルのスリット等に係止することで台座パネル及び蓋パネルの対向端縁同士を的確に連結することができる。なお、かかる係止部は、例えば台座パネルに円弧状等の切込み線を形成することで設けられる。
【００７３】
当該物品梱包用シートは、必ずしも段ボールから形成される必要はなく、例えば堅紙、厚紙等の紙材料や、プラスチック等から形成されてもよい。
【産業上の利用可能性】
【００７４】
以上のように、本発明に係る物品梱包用シート及び物品梱包体は、物品の保護機能を備えると共に、汎用性に優れており、オンラインショップ等の商品送付用シート及び梱包体として好適に用いられる。
【符号の説明】
【００７５】
１  物品梱包用シート
２  台座パネル
３  蓋パネル
４  折り返し線
５  第一折り曲げ容易線
６  スリット
７  第一スリット列
８  第二スリット列
９  スリット間用折り曲げ容易線
１０  スリット非形成領域
１１  スリット非形成領域用折り曲げ容易線
１１ａ  形状保持容易線
２１  物品梱包体
２２  物品
２３  包装体
２４  開口
３１  第一スリット列
３２  第二スリット列
３３  切欠き
３４  スリット
４１  第一スリット列
４２  第二スリット列
４３  第三スリット列
４４  スリット
５１  スリット非存在領域
６１  第一スリット列
６２  第二スリット列
６３  折り曲げ容易線
７１  形状保持容易線
７２  スリット非形成領域用折り曲げ容易線
８１  形状保持容易線
８２  スリット非形成領域用折り曲げ容易線
９１  スリット間用折り曲げ容易線
９２  スリット
１０１  スリット非形成領域
１０２  スリット非形成領域用折り曲げ容易線
【要約】
【課題】物品の保護機能を備えると共に、汎用性に優れる物品梱包用シート及び物品梱包体の提供を目的とする。
【解決手段】本発明の物品梱包用シートは、台座パネル、及びこの台座パネルに折り返し線を介して連接され、この折り返し線に沿って折り返されることで台座パネルとの間に物品を梱包可能な蓋パネルを備え、この蓋パネルに、上記折り返し線形成方向に沿って複数のスリットが形成され、この複数のスリットが、上記蓋パネルを折り返し線形成方向の直交方向に伸長できるよう配設されている。上記蓋パネルが、折り返し線形成方向に沿った複数の仮想線上に複数のスリットから構成される複数のスリット列を有し、一のスリット列上の一対のスリットの間に、隣接する他のスリット列のスリットが位置し、この隣接する他のスリット列のスリットが、上記一対のスリットの少なくとも一方のスリットと重複する部位を有するとよい。
【選択図】図１【図１】
0005736080.tif 000002
【図２】
0005736080.tif 000003
【図３】
0005736080.tif 000004
【図４】
0005736080.tif 000005
【図５】
0005736080.tif 000006
【図６】
0005736080.tif 000007
【図７】
0005736080.tif 000008
【図８】
0005736080.tif 000009
【図９】
0005736080.tif 000010
【図１０】
0005736080.tif 000011
【図１１】
0005736080.tif 000012
【図１２】
0005736080.tif 000013